【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
画像を読み取る読み取り手段と、
前記読み取り手段の移動を行う移動手段と、
操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御手段と、を有することを特徴とする画像読取装置。
【請求項２】
請求項１に記載の画像読取装置において、前記読み取り手段を前記基準位置に戻すための信号を受信する通信手段を有し、
前記制御手段は、前記第２の読み取り範囲の読み取り完了後、前記信号を受信した場合に前記移動手段により前記読み取り手段を前記読み取り基準位置に移動させるように制御することを特徴とする画像読取装置。
【請求項３】
請求項１に記載の画像読取装置において、前記読み取り手段による読み取り開始時からの経過時間を計測する計測手段を有し、
前記制御手段は、前記計測手段により一定時間の経過が計測された場合に前記移動手段により前記読み取り手段を前記読み取り基準位置に移動させることを特徴とする画像読取装置。
【請求項４】
請求項１に記載の画像読取装置において、前記読み取り手段による読み取り完了時からの経過時間を計測する計測手段を有し、
前記制御手段は、前記計測手段により一定時間の経過が計測された場合に前記移動手段により前記読み取り手段を前記読み取り基準位置に移動させることを特徴とする画像読取装置。
【請求項５】
画像を読み取る読み取り手段と、前記読み取り手段の移動を行う移動手段とを有する画像読取装置を用いた画像読取方法であって、
操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御ステップを有することを特徴とする画像読取方法。
【請求項６】
請求項５に記載の画像読取方法において、
前記制御ステップでは、前記第２の読み取り範囲の読み取り完了後、前記読み取り手段を前記基準位置に戻すための信号を受信した場合に前記移動手段により前記読み取り手段を前記読み取り基準位置に移動させるように制御することを特徴とする画像読取方法。
【請求項７】
請求項５に記載の画像読取方法において、前記読み取り手段による読み取り開始時からの経過時間を計測する計測ステップを有し、
前記制御ステップでは、前記計測ステップにおいて一定時間の経過が計測された場合に前記移動手段により前記読み取り手段を前記読み取り基準位置に移動させることを特徴とする画像読取方法。
【請求項８】
請求項５に記載の画像読取方法において、前記読み取り手段による読み取り完了時からの経過時間を計測する計測ステップを有し、
前記制御ステップでは、前記計測ステップにおいて一定時間の経過が計測された場合に前記移動手段により前記読み取り手段を前記読み取り基準位置に移動させることを特徴とする画像読取方法。
【請求項９】
画像を読み取る読み取り手段と、前記読み取り手段の移動を行う移動手段とを有する画像読取装置を制御するためのコンピュータプログラムであって、
操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御ステップをコンピュータに実行させるためのコンピュータプログラム。
【手続補正２】
【補正対象書類名】明細書
【補正対象項目名】０００５
【補正方法】変更
【補正の内容】
【０００５】
【課題を解決するための手段】
本発明による画像読取装置は、画像を読み取る読み取り手段と、前記読み取り手段の移動を行う移動手段と、操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御手段と、を有することを特徴とする。
【手続補正３】
【補正対象書類名】明細書
【補正対象項目名】０００６
【補正方法】変更
【補正の内容】
【０００６】
また、本発明の画像読取装置において、前記読み取り手段を前記基準位置に戻すための信号を受信する通信手段を有し、前記制御手段は、前記第２の読み取り範囲の読み取り完了後、前記信号を受信した場合に前記移動手段により前記読み取り手段を前記読み取り基準位置に移動させるように制御することを特徴とする。
【手続補正４】
【補正対象書類名】明細書
【補正対象項目名】０００７
【補正方法】変更
【補正の内容】
【０００７】
また、本発明の画像読取装置において、前記読み取り手段による読み取り開始時からの経過時間を計測する計測手段を有し、前記制御手段は、前記計測手段により一定時間の経過が計測された場合に前記移動手段により前記読み取り手段を前記読み取り基準位置に移動させることを特徴とする。
【手続補正５】
【補正対象書類名】明細書
【補正対象項目名】０００８
【補正方法】変更
【補正の内容】
【０００８】
また、本発明の画像読取装置において、前記読み取り手段による読み取り完了時からの経過時間を計測する計測手段を有し、前記制御手段は、前記計測手段により一定時間の経過が計測された場合に前記移動手段により前記読み取り手段を前記読み取り基準位置に移動させることを特徴とする。
【手続補正６】
【補正対象書類名】明細書
【補正対象項目名】０００９
【補正方法】変更
【補正の内容】
【０００９】
また、本発明による画像読取方法は、画像を読み取る読み取り手段と、前記読み取り手段の移動を行う移動手段とを有する画像読取装置を用いた画像読取方法であって、操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御ステップを有することを特徴とする。
【手続補正７】
【補正対象書類名】明細書
【補正対象項目名】００１０
【補正方法】変更
【補正の内容】
【００１０】
また、本発明の画像読取方法において、前記制御ステップでは、前記第２の読み取り範囲の読み取り完了後、前記読み取り手段を前記基準位置に戻すための信号を受信した場合に前記移動手段により前記読み取り手段を前記読み取り基準位置に移動させるように制御することを特徴とする。
【手続補正８】
【補正対象書類名】明細書
【補正対象項目名】００１１
【補正方法】変更
【補正の内容】
【００１１】
また、本発明の画像読取方法において、前記読み取り手段による読み取り開始時からの経過時間を計測する計測ステップを有し、前記制御ステップでは、前記計測ステップにおいて一定時間の経過が計測された場合に前記移動手段により前記読み取り手段を前記読み取り基準位置に移動させることを特徴とする。
【手続補正９】
【補正対象書類名】明細書
【補正対象項目名】００１２
【補正方法】変更
【補正の内容】
【００１２】
また、本発明の画像読取方法において、前記読み取り手段による読み取り完了時からの経過時間を計測する計測ステップを有し、前記制御ステップでは、前記計測ステップにおいて一定時間の経過が計測された場合に前記移動手段により前記読み取り手段を前記読み取り基準位置に移動させることを特徴とする。
【手続補正１０】
【補正対象書類名】明細書
【補正対象項目名】００１３
【補正方法】変更
【補正の内容】
【００１３】
また、本発明によるコンピュータプログラムは、画像を読み取る読み取り手段と、前記読み取り手段の移動を行う移動手段とを有する画像読取装置を制御するためのコンピュータプログラムであって、操作者により第１の読み取り範囲及び第２の読み取り範囲の読み取りが指定された場合に、前記移動手段により前記読み取り手段を読み取り基準位置から前記第１の読み取り範囲の読み取り開始位置に移動させて前記第１の読み取り範囲の読み取りを行わせ、前記第１の読み取り範囲の読み取り完了後、前記読み取り手段を前記読み取り基準位置に戻さずに前記第２の読み取り範囲の読み取り開始位置に移動させて前記第２の読み取り範囲の読み取りを行わせるように制御する制御ステップをコンピュータに実行させるためのコンピュータプログラムである。